(57)【特許請求の範囲】
【請求項１】
機能水を吐水する吐水口を有する吐水ユニットと、
給水源から前記吐水ユニットに水を供給するホースと、
を備え、
前記吐水ユニットは、
被取付部材の前面に接触する取付面と、
前記取付面から前記被取付部材の後面側へ向かって延伸する樋状の延伸部と、
前記延伸部の後端よりも前方側において前記ホースを接続する接続部と
を有し、
前記延伸部は、樋を堰き止める堰状の凸部を有し、
前記凸部は、前記吐水ユニットが前記被取付部材に取り付けられた状態において前記ホースに下方向の外力が加わった場合に、前記接続部よりも後方で前記ホースと接触する
ことを特徴とする水栓装置。
【請求項２】
前記吐水ユニットは、
前記吐水口とは別に前記吐水ユニットの内部と外部を連通する連通穴と、
前記凸部から前記延伸部を経由して前記連通穴に至る流路と
を有することを特徴とする請求項１に記載の水栓装置。
【請求項３】
前記凸部は、前記延伸部の後端部に設けられる
ことを特徴とする請求項１または２に記載の水栓装置。
【請求項４】
前記凸部は、
前記ホース側の端部が曲面形状である
ことを特徴とする請求項１、２または３に記載の水栓装置。
【発明の詳細な説明】
【技術分野】
【０００１】
開示の実施形態は、水栓装置に関する。
【背景技術】
【０００２】
従来、吐水口を有する吐水ユニットと吐水ユニットの上流側の給水源とを配管（ホース等）で接続する水栓装置が知られている。吐水口を有する吐水ユニットは、ホースを接続する接続部を有し、接続部にホースを接続することで吐水ユニットに水を供給でき、水を吐水することができる（例えば特許文献１）。
【先行技術文献】
【特許文献】
【０００３】
【特許文献１】特開平１１−３２４０４４号公報
【発明の概要】
【発明が解決しようとする課題】
【０００４】
機能水を吐水する水栓の場合、ホースへの悪影響を避ける為に吐水終了後にホースの内部を通常水で満たすことがある。また、機能水の種類によっては、時間がたつと通常の水に戻ってしまうことがある。これらの事情により、吐水開始直後にはホース内部に残留した通常水が吐水されることになる。この通常水の吐水を最低限に抑制するために、ホースの径を小さくし、残留水を減らしたいという要望がある。
【０００５】
しかしながら、特許文献１のような水栓装置では、ホースの径を小さくするとホースと接続部との接触面積が小さくなり、これに伴い摩擦力も小さくなるため、施工時等にホースを引っ張るとホースが接続部から抜けてしまう恐れがあり、施工性が低下してしまう。
【０００６】
実施形態の一態様は、上記に鑑みてなされたものであって、ホース内部の残留水を低減するためにホースの径を小さくした場合であっても施工性が低下することを抑制することができる水栓装置を提供することを目的とする。
【課題を解決するための手段】
【０００７】
実施形態の一態様に係る水栓装置は、吐水ユニットと、ホースと、を備える。吐水ユニットは、機能水を吐水する吐水口を有する。ホースは、給水源から吐水ユニットに水を供給する。また、吐水ユニットは、取付面と、延伸部と、接続部とを備える。取付面は、被取付部材の前面に接触する。延伸部は、取付面から被取付部材の後面側へ向かって延伸する。接続部は、延伸部の後端よりも前方側においてホースと接続される。延伸部は、凸部を有する。凸部は、吐水ユニットが被取付部材に取り付けられた状態においてホースに下方向の外力が加わった場合に、接続部よりも後方でホースと接触する。
【発明の効果】
【０００８】
実施形態の一態様によれば、ホース内部の残留水を低減するためにホースの径を小さくした場合であっても施工性が低下することを抑制することができる水栓装置を提供することができる。
【図面の簡単な説明】
【０００９】
【図１Ａ】図１Ａは、実施形態に係る水栓装置を示す斜視図である。
【図１Ｂ】図１Ｂは、実施形態に係る水栓装置が取り付けられる手洗い器の内部構成を示す図である。
【図２Ａ】図２Ａは、実施形態に係る水栓装置の吐水ユニットの正面図である。
【図２Ｂ】図２Ｂは、実施形態に係る水栓装置の吐水ユニットの側面図である。
【図２Ｃ】図２Ｃは、実施形態に係る水栓装置の吐水ユニットの底面図である。
【図３】図３は、実施形態に係る水栓装置の吐水ユニットの断面図である。
【図４】図４は、実施形態の吐水ユニットの延伸部に設けられる凸部を示す断面斜視図である。
【発明を実施するための形態】
【００１０】
以下、添付図面を参照して、本願の開示する水栓装置の実施形態を詳細に説明する。なお、以下に示す実施形態によりこの発明が限定されるものではない。
【００１１】
図１Ａは、実施形態に係る水栓装置を示す斜視図である。図１Ｂは、実施形態に係る水栓装置が取り付けられる手洗い器の内部の構成を示す図である。図１Ａに示すように、実施形態に係る水栓装置１は、例えば、手洗い器Ｔに設けられる。手洗い器Ｔは、メイン水栓７と、メインハンドル８と、ボウル４と、排水口５と、被取付部材６と、キャビネット２と、吐水ユニット１０と、を備える。
【００１２】
なお、以下では、図１Ａに示すように、使用者と対面する側を水栓装置１および手洗い器Ｔの前側（正面側）とし、その反対側を後側（背面側）とする。また、使用者から見て左側および右側を水栓装置１および手洗い器Ｔの左側および右側とし、重力方向およびその反対方向を水栓装置１および手洗い器Ｔの下側および上側とする。
【００１３】
メイン水栓７は、被取付部材６（後述する）に取り付けられ、給水源（図示しない）からの水を吐水するものであり、整流吐水、泡沫吐水、シャワー吐水の何れかの吐水形態で吐水する。メイン水栓７は、手洗いや水汲み等の動作に使用され、２〜１０Ｌ／ｍｉｎで吐水する。
【００１４】
メインハンドル８は、メイン水栓７からの吐水、止水および温度調整を行う操作部である。例えば、メインハンドル８を前側に操作するとメイン水栓７からの吐水が開始され、後側に操作すると止水される。また、メインハンドル８を左側に回転させると水温が上がり、右側に回転させると下がる。
【００１５】
ボウル４は、下方に向かって凹んだ凹状に形成されている。排水口５は、ボウル４の底部に設けられる。排水口５は、排水管（図示しない）に接続され、ボウル４に吐水された水を排水管（図示しない）に流す。
【００１６】
被取付部材６は、ボウル４の後方側の上部に設けられ、メイン水栓７、メインハンドル８、吐水ユニット１０（後述する）が取り付けられる。被取付部材６は、例えば板状であり、鉛直方向に延びる。被取付部材６は、鉛直方向に対して傾斜してもよい。被取付部材６は少なくとも鉛直方向に延びる成分を有していればよい。
【００１７】
キャビネット２は、ボウル４の下方に設けられ、キャビネット２に設けられる扉３を開くことで内部に小物等を収納することができる。さらにキャビネット２は、ボウル４を支持する機能を有している。ただし、ボウル４を部屋の壁面に直接取り付けた場合は、キャビネット２は省略可能である。
【００１８】
実施形態に係る水栓装置１は、吐水ユニット１０を備える。吐水ユニット１０は、被取付部材６に取り付けられる。吐水ユニット１０は、メイン水栓７からの吐水形態と異なる吐水形態で吐水される。例えば、噴霧吐水である。さらに、吐水ユニット１０は、メイン水栓７から吐水される水質と異なる水質の水を吐水する。例えば、除菌効果を有する機能水Ｗである。この機能水Ｗは、例えばキャビネット２内部に設けられた機能部（図示せず）で水道水を電気分解することによって生成される次亜塩素酸水である。吐水ユニット１０は、排水口５等の菌を除菌する際に使用され、メイン水栓７の流量よりも少ない０．１〜０．５Ｌ／ｍｉｎで吐水する。
【００１９】
次に、手洗い器Ｔの内部構成について図１Ｂを参照して説明する。図１Ｂに示すように、メイン水栓７は、給水源からの水を供給するために用いられるメインホース２１を接続するメイン接続部２２を有する。メイン接続部２２にメインホース２１を接続することで、メイン水栓７に水を供給することができる。メイン水栓７からの吐水量は、２〜１０Ｌ／ｍｉｎであり、メインホース２１は、内径が５〜１５ｍｍ程度のものを使用する。
【００２０】
吐水ユニット１０は、給水源からの水を電気分解する電解槽等を介して機能水Ｗとして供給するために用いられるホース２０を接続する接続部１４を有する。接続部１４にホース２０を接続することで、吐水ユニット１０に機能水Ｗを供給することができる。吐水ユニット１０からの吐水量は０．１〜０．５Ｌ／ｍｉｎであり、ホース２０は、内径が１〜５ｍｍ程度のものを使用する。
【００２１】
このように、実施形態に係る水栓装置１は、機能水Ｗを吐水することで、例えば、排水口５の菌を除菌することができる。
【００２２】
しかしながら、吐水ユニット１０に接続されるホース２０や接続部１４は、メイン水栓７に接続されるメインホース２１やメイン接続部２２と比較して内径が小さいことから、ホース２０を機能部（図示しない）に接続する施工時に、ホース２０を下側または斜め下側に引っ張った際に接続部１４に外力が加わり、ホース２０が接続部１４から抜けてしまい施工性が低下する恐れがある。さらに具体的には、メインホース２１は内径が比較的大きく、メイン接続部２２との接触面積も確保できるが、吐水ユニット１０に接続されるホース２０は、内径が小さく、接続部１４との接触面積が小さくなってしまう。接触面積が小さくなると、ホース２０と接続部１４に発生する摩擦力が小さくなり、外部から加わった力に耐えることができず、ホース２０が抜けてしまう現象が発生する。
【００２３】
そこで、実施形態に係る水栓装置１では、吐水ユニット１０が被取付部材６に取り付けられた状態においてホース２０に下方向の外力が加わった場合に、接続部１４よりも後方側でホース２０と接触する凸部１５を設けることとした。これにより、外力が直接接続部１４に加わることを防止することができ、施工時にホース２０が抜けてしまうことを防止することができ、施工性が低下することを抑制することができる。
【００２４】
次に、上述した吐水ユニット１０の外観の構成について説明する。図２Ａは、実施形態に係る水栓装置１の吐水ユニット１０の正面図である。図２Ｂは、実施形態に係る水栓装置１の吐水ユニット１０の側面図である。図２Ｃは、実施形態に係る水栓装置１の吐水ユニット１０の底面図である。
【００２５】
図２Ａに示すように、吐水ユニット１０は、正面視長方形に形成され、吐水ユニット１０を形成するケーシング１６は、前ケーシング１６ａと、底ケーシング１６ｂと、一対の側ケーシング１６ｃ、１６ｄとを有する。さらに、吐水ユニット１０は、吐水ユニット１０から機能水Ｗを吐水するための吐水口１１ａを有する吐水部１１と、前ケーシング１６ａに設けられ、機能水Ｗの吐水開始を操作するスイッチ５０と、吐水ユニット１０内に光源（図示しない）を有し、吐水ユニット１０から吐水している状態で光源からの光を吐水ユニット１０外部に出す照射口６０と、吐水ユニット１０内に溜まった機能水Ｗまたは水（以下、単に「水Ｗ」と記載する）を外部に排出するために吐水ユニット１０の内部と外部を連通する連通穴３０とを有する。
【００２６】
次に図２Ｂに示すように、ケーシング１６は、三角柱状でかつ中空状であり、内部空間を有する。ケーシング１６は、この内部空間に吐水ユニット１０の各種部材を収納する。
【００２７】
前ケーシング１６ａは、水平面に対して傾斜する。この例において、前ケーシング１６ａは、下方に向かうにつれて厚みを増すように傾斜している。前ケーシング１６ａの傾斜角度Θ１は、例えば、取付面１２に対して２０°程度（１０°以上３０°以下）である。
【００２８】
底ケーシング１６ｂは、前ケーシング１６ａの下端から取付面１２に向かって延びる。底ケーシング１６ｂは、前ケーシング１６ａの下方に位置する。底ケーシング１６ｂは、前方に向かうにつれて上方に上がるように傾斜している。底ケーシング１６ｂの傾斜角度Θ２は、例えば水平面に対して０°よりも大きく２０°以下である。
【００２９】
吐水口１１ａは、底ケーシング１６ｂに設けられ、下方に向かって吐水する。また、連通穴３０も底ケーシング１６ｂに設けられ、連通穴３０から排出される水Ｗは下方側すなわちボウル４に向かって排出される。連通穴３０から排出される水Ｗがボウル４に向かって排出されるため、排出するための配管等を別途設ける必要がない。
【００３０】
吐水ユニット１０は、さらに延伸部１３を備える。延伸部１３は、取付面１２から後方に向かって延伸し、筒状に形成される。ホース２０は延伸部１３の内部に挿入され、接続部１４（図１Ｂ参照）に接続される。
【００３１】
次に図２Ｃに示すように、吐水口１１ａは、底ケーシング１６ｂの左右方向において右側に設けられる。また、連通穴３０は、底ケーシング１６ｂの左右方向において右側にかつ前後方向において後側に設けられる。
【００３２】
次に図３を参照して、吐水ユニット１０の内部構成を説明する。図３は実施形態に係る水栓装置１の吐水ユニット１０の断面図である。図３に示すように、ケーシング１６の内部の収納空間には、機能水Ｗを吐水するための吐水口１１ａを有する吐水部１１と、吐水部１１とホース２０を接続するための接続部１４と、吐水ユニット１０からの吐止水を制御するためのスイッチ５０とが収納される。
【００３３】
ホース２０は、被取付部材６よりも後方側まで延伸する延伸部１３の内部を通って、後方側から接続部１４に挿入されるよう接続される。なお、ホース２０と接続部１４との接続をより強めるためにホースバンド１４ａを用いてもよい。
【００３４】
ホース２０を接続部１４に接続した状態でかつ、吐水ユニット１０を被取付部材６に取り付けた状態において、施工時にホース２０を下側または斜め下側に引っ張った際すなわち下方向の外力が加えられた時にホース２０と接触するよう、ホース２０側に突出した凸部１５が延伸部１３に設けられる。
【００３５】
凸部１５は、延伸部１３を基端として他端側すなわちホース２０側に突出している。凸部１５の他端側すなわちホース２０と接触する側は、曲面形状に形成される。凸部１５の他端側を曲面形状に形成することで、ホース２０と接触した際にホース２０が損傷してしまうことを防止することができる。
【００３６】
また、凸部１５は、接続部１４よりも後方側の延伸部１３に設けられる。さらに好ましくは、延伸部１３の後方側端部に凸部１５を設ける。このように、下方側の外力がホース２０に加わった際にホース２０と凸部１５とが接触することで、接続部１４に直接力が加わることを防止することができる。したがって、下側の外力が接続部１４に加わらないため、接続部１４からホース２０が抜けてしまうことを防止できる。さらに、凸部１５を延伸部１３の後方側端部に設けることで、接続部１４と凸部１５との距離が長くなり、ホース２０を水平方向に近い下方側に引っ張った際においても凸部１５とホース２０とを接触しやすくすることができ、ホース２０と凸部１５とが接触する範囲を広げることで、施工性を向上させることができる。
【００３７】
吐水ユニット１０は、吐水ユニット１０の内部と外部を連通させる連通穴３０を底ケーシング１６ｂに有する。吐水ユニット１０の内部には、ホース２０と吐水ユニット１０を接続させる接続部１４があり、ホース２０と接続部１４との接続が緩まった場合、吐水ユニット１０の内部に水Ｗが漏れる場合がある。水漏れの量が多い場合は、吐水ユニット１０の内部側から、手洗い器Ｔの内側に水Ｗが漏れ出す恐れがあるが、連通穴３０を設けることで、吐水ユニット１０の内部に溜まった水Ｗを抜くことができ、手洗い器Ｔの内側に水Ｗが浸入することを防止することができる。
【００３８】
凸部１５は、吐水ユニット１０の内部に漏れた水Ｗが手洗い器Ｔの内部に浸入することを防止する役割をさらに有する。より具体的には、凸部１５は堰のような形状に形成され、凸部１５に到達した水Ｗが、凸部１５によってそれ以上手洗い器Ｔの内側に浸入することを堰き止めるよう構成される。さらに、凸部１５は、連通穴３０よりも上方側に設けられる。
【００３９】
吐水ユニット１０は、凸部１５から延伸部１３を経由して連通穴３０に導かれる流路４０を有する。吐水ユニット１０が流路４０を有することで、凸部１５に到達した水Ｗが流路４０を介して連通穴３０から排出され、手洗い器Ｔの内部に水Ｗが浸入することを防止することができる。
【００４０】
さらに凸部１５を連通穴３０よりも上方側に設けることで、吐水ユニット１０の外部から水Ｗが浸入した場合、吐水ユニット１０の内部空間に水Ｗが溜まるようにすることで、一時的な水Ｗの浸入を許容し、瞬時に手洗い器Ｔの内部に水Ｗが浸入することを防止することができる。
【００４１】
次に、図４を参照して、凸部１５の形状を説明する。図４は、実施形態の吐水ユニット１０の延伸部１３に設けられる凸部１５を示す断面斜視図である。図４に示すように、延伸部１３は少なくとも樋状に形成され、吐水ユニット１０が被取付部材６に取り付けられた状態において下方側、すなわち重力方向において一番低くなる位置に凸部１５を設ける。
【００４２】
凸部１５は、凸部１５を正面から見た場合において、左右方向の幅の方が上下方向の幅よりも広くなるように形成される。また、凸部１５の上面である凸部上面１５ａは、凸部１５を正面から見た場合において、樋状に形成された延伸部１３の形状と同様に重力方向下方側に凸形状となるよう曲面形状に形成される。
【００４３】
このように、延伸部１３を樋状に形成することで、延伸部１３の上方側を伝って手洗い器Ｔの内側に浸入しようとする水Ｗを延伸部１３の下方側に集めることができる。左右方向の幅が上下方向の幅より広く形成された凸部１５を延伸部１３の重力方向において一番低くなる位置に設けることで、延伸部１３の下方側に集められた水Ｗが手洗い器Ｔの内側に浸入することを堰き止めることができる。すなわち手洗い器Ｔの内部に水Ｗが浸入することを防止することができる。
【００４４】
また、凸部上面１５ａを正面視曲面形状とすることで、直線形状に形成した場合と比べてホース２０と接触する面積が大きくなり、下方側に外力が加わった際にホース２０に加わる力を減らすことができる。さらに、ホース２０を伝って手洗い器Ｔの内部に浸入しようとする水Ｗに対しても接触面積が大きいことから、より手洗い器Ｔの内部に水Ｗが浸入することを防止できる。
【００４５】
凸部１５から延伸部１３を介して連通穴３０に至る流路４０は、言い換えると延伸部１３の下方側の周面１３ａを介して連通穴３０に至る流路４０であり、周面１３ａを前方側に向かって下方傾斜するように形成してもよい。
【００４６】
周面１３ａを前方側に向かって下方傾斜させることで、凸部１５側に流れる水Ｗは、凸部１５側に移動しづらくなり、手洗い器Ｔの内部に浸入しづらくなる。また、凸部１５に到達し、凸部１５に堰き止められた水Ｗは、下方傾斜している周面１３ａに向かって前方側に移動しやすくなり、吐水ユニット１０の内部から水Ｗを排出しやすくなる。
【００４７】
被取付部材６に対してメイン水栓７と吐水ユニット１０が取り付けられる例を挙げて説明したが、吐水ユニット１０だけであってもよい。
【００４８】
吐水ユニット１０の吐水形態として、噴霧吐水の例を挙げて説明したが、必ずしも噴霧吐水であることは要しない。同様に吐水ユニット１０から吐水される水Ｗが次亜塩素酸水である例を挙げて説明したが必ずしも次亜塩素酸水であることは要しない。
【００４９】
吐水ユニット１０の具体的な吐水量を挙げて説明したが、必ずしも上述した吐水量であることは要せず、ホース２０の内径が１〜５ｍｍ程度の細いホースであれば開示の実施形態の課題を解決できる。
【００５０】
延伸部１３は、被取付部材６よりも後方側まで延伸している例を挙げて説明したが、延伸部１３の後方側端部と被取付部材６の後方側端部とが面一であってもよい。
【００５１】
１つの凸部１５で接続部１４に外力が直接加わらない例を挙げて説明したが、凸部１５を複数用いて、ホース２０に複数点で接触するように構成してもよい。
【００５２】
吐水ユニット１０の内部と外部とを連通する穴を連通穴３０として説明したが、吐水ユニット１０に設けられている穴を利用してもよい。具体的には、照射口６０の開口から吐水ユニット１０の内部の水を排出してもよい。
【００５３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５４】
１  水栓装置
２  キャビネット
３  扉
４  ボウル
５  排水口
６  被取付部材
７  メイン水栓
８  メインハンドル
１０  吐水ユニット
１１  吐水部
１１ａ  吐水口
１２  取付面
１３  延伸部
１３ａ  周面
１４  接続部
１５  凸部
１５ａ  凸部上面
１６  ケーシング
２０  ホース
２１  メインホース
２２  メイン接続部
３０  連通穴
４０  流路
５０  スイッチ
６０  照射口
Ｔ  手洗い器
Ｗ  水（機能水）
【図１Ａ】
0006690310.tif 000002
【図１Ｂ】
0006690310.tif 000003
【図２Ａ】
0006690310.tif 000004
【図２Ｂ】
0006690310.tif 000005
【図２Ｃ】
0006690310.tif 000006
【図３】
0006690310.tif 000007
【図４】
0006690310.tif 000008